(57)【特許請求の範囲】
【請求項１】
時計設定、上げ及び／又は下げを指令する設定部と、数字及び単位を表示する表示部と、時計機能を内蔵するマイクロコンピュータとを備え、
前記マイクロコンピュータは、本体部へ送信する運転開始又は運転停止の制御信号をタイマ設定するに当たり、所定の数字及び単位を前記表示部に表示せしめ、前記設定部の上げ又は下げの指令により前記表示部の表示内容を変更し、所望の値が表示されたときにその値を記憶して残時間タイマの設定値とする残時間タイマ機能と、前記設定部から時計設定された場合にのみ、現在時刻を前記表示部に表示せしめ、前記設定部の上げ又は下げの指令により前記表示部の表示内容を変更し、所望の値が表示されたときにその値を記憶して時刻タイマの設定値とする時刻タイマ機能とを備え、設定内容のリセット時及び／又は電池の装着時に残時間タイマとして動作し、時計設定操作をした場合にのみ時刻タイマとして動作するように構成したことを特徴とする請求項１記載のリモコン装置。
【請求項２】
前記表示部は数字を切換え表示することが可能な２桁の数字表示領域と、「時」、「３０」及び「分」の各記号を選択点灯させることが可能な記号表示領域とを有し、前記マイクロコンピュータは残時間の設定に当たり、上げ又は下げの指令に対して３０分単位で前記表示部の表示を変更するように構成したことを特徴とする請求項１記載のリモコン装置。
【請求項３】
前記表示部は数字を切換え表示することが可能な２桁の数字表示領域と、「時」及び「分」の記号を選択点灯させることが可能な記号表示領域とを有し、前記マイクロコンピュータは時刻の設定に当たり、前記数字表示領域に時情報と分情報とを交互に表示すると共に、各情報に対応する前記記号表示領域の記号を選択点灯させるように構成したことを特徴とする請求項１記載のリモコン装置。
【請求項４】
前記マイクロコンピュータは、時情報の表示中に上げ（又は下げ）の指令が与えられたとき表示中の時情報を所定値だけ加算（又は減算）し、分情報の表示中に上げ（又は下げ）の指令が与えられたとき表示中の分情報を所定値だけ加算（又は減算）するように構成したことを特徴とする請求項３記載のリモコン装置。
【請求項５】
前記記号表示領域はさらに、「タイママーク」、「入」及び「切」の記号を有し、前記マイクロコンピュータは、タイマ設定済みの状態で「タイママーク」を、運転開始の設定状態で「入」を、運転停止の設定状態で「切」をそれぞれ点灯させるように構成したことを特徴とする請求項２又は３記載のリモコン装置。
【請求項６】
前記設定部は、さらに予約／確認釦を有し、タイマ設定済みの状態で前記予約／確認釦が操作されたとき、前記マイクロコンピュータは、運転開始及び運転停止の設定値のうち、最初に現在時刻に近い一方の設定値を表示し、次に現在時刻に遠い他方の設定値を表示し、次に元の表示状態に復帰させるように構成したことを特徴とする請求項１記載のリモコン装置。
【発明の詳細な説明】
【０００１】
【産業上の利用分野】
本発明は、空気調和装置、テレビ、ビデオテープレコーダ等に用いられるリモコン（ｒｅｍｏｔｅ  ｃｏｎｔｒｏｌ）装置に関する。
【０００２】
【従来の技術及び発明が解決しようとする課題】
この種の従来の装置として、設定操作時から本体機器に制御信号を送信するまでの時間を設定する残時間タイマ機能を有するものや、時計設定操作を含めて時刻で設定する時刻タイマ機能を有するものがあった。
【０００３】
このように、タイマモードが機器毎に異なると、不慣れなユーザには負担になることがある。特に、時刻タイマ機能を有するものは、設定値のリセット時、あるいは、電池の装着時に現在の時刻を設定をしなければならず、その分だけ操作が煩雑となる。
【０００４】
しかして、残時間タイマに慣れたユーザは時刻タイマに馴染み難く、これに対して、時刻タイマに慣れたユーザは残時間タイマには比較的対応し易いといえるが、時刻タイマをより好む場合もある。
【０００５】
本発明は上記の問題点を解決するためになされたもので、不慣れなユーザに対して操作の容易さを確保すると同時に、好みに応じて残時間タイマと時刻タイマとに使い分けのできるリモコン装置を得ることを目的とする。
【０００６】
【課題を解決するための手段】
請求項１に記載のリモコン装置は、時計設定、上げ及び／又は下げを指令する設定部と、数字及び単位を表示する表示部と、時計機能を内蔵するマイクロコンピュータとを備え、
マイクロコンピュータは、本体部へ送信する運転開始又は運転停止の制御信号をタイマ設定するに当たり、所定の数字及び単位を表示部に表示せしめ、設定部の上げ又は下げの指令により表示部の表示内容を変更し、所望の値が表示されたときにその値を記憶して残時間タイマの設定値とする残時間タイマ機能と、設定部から時計設定された場合にのみ、現在時刻を表示部に表示せしめ、設定部の上げ又は下げの指令により表示部の表示内容を変更し、所望の値が表示されたときにその値を記憶して時刻タイマの設定値とする時刻タイマ機能とを備え、設定内容のリセット時及び／又は電池の装着時に残時間タイマとして動作し、時計設定操作をした場合にのみ時刻タイマとして動作するように構成されている。
【０００８】
請求項２に記載のリモコン装置は、表示部は数字を切換え表示することが可能な２桁の数字表示領域と、「時」、「３０」及び「分」の各記号を選択点灯させることが可能な記号表示領域とを有し、マイクロコンピュータは残時間の設定に当たり、上げ又は下げの指令に対して３０分単位で表示部の表示を変更するように構成されている。
【０００９】
請求項３に記載のリモコン装置は、表示部は数字を切換え表示することが可能な２桁の数字表示領域と、「時」及び「分」の記号を選択点灯させることが可能な記号表示領域とを有し、マイクロコンピュータは時刻の設定に当たり、数字表示領域に時情報と分情報とを交互に表示すると共に、各情報に対応する記号表示領域の記号を選択点灯させるように構成されている。
【００１０】
請求項４に記載のリモコン装置は、マイクロコンピュータは、時情報の表示中に上げ（又は下げ）の指令が与えらたとき表示中の時情報を所定値だけ加算（又は減算）し、分情報の表示中に上げ（又は下げ）の指令が与えられたとき表示中の分情報を所定値だけ加算（又は減算）するように構成されている。
【００１１】
請求項５に記載のリモコン装置は、記号表示領域はさらに、「タイママーク」、「入」及び「切」の記号を有し、マイクロコンピュータは、タイマ設定済みの状態で「タイママーク」を、運転開始の設定状態で「入」を、運転停止の設定状態で「切」をそれぞれ点灯させるように構成されている。
【００１２】
請求項６に記載のリモコン装置は、設定部は、さらに予約／確認釦を有し、タイマ設定済みの状態で予約／確認釦が操作されたとき、マイクロコンピュータは、運転開始及び運転停止の設定値のうち、最初に現在時刻に近い一方の設定値を表示し、次に現在時刻に遠い他方の設定値を表示し、次に元の表示状態に復帰させるように構成されている。
【００１３】
【作用】
請求項１に記載のリモコン装置においては、残時間タイマ機能及び時刻タイマ機能の両方を備え、設定内容のリセット時及び電池の装着時に残時間タイマとして動作するので、不慣れなユーザに対して操作の容易さを確保することができ、時計設定操作をした時に時刻タイマとして動作するのでその機能を好むユーザにも対応できる。また、表示部の表示状態を設定部で変更しながらタイマ設定するので、設定操作が容易になる。
【００１５】
請求項２に記載のリモコン装置においては、３０分単位にて表示変更するので、操作回数が少なくて済む。
【００１６】
請求項３に記載のリモコン装置においては、表示部は数字を「時」と「分」で切換えて使用するので、面積の少ない表示領域を有効に利用して、画面を見易くすることができる。
【００１７】
請求項４に記載のリモコン装置においては、上げ指令及び下げ指令により、表示情報を容易に変更することができる。
【００１８】
請求項５に記載のリモコン装置においては、「タイママーク」と合わせて「入」及び「切」の記号を表示するで、ユーザが認識し易くなる。
【００１９】
請求項６に記載のリモコン装置においては、予約／確認釦の操作に応じて現在時刻に近い順に設定値が表示されるので、ユーザの最も知りたい情報から順次設定内容の全てを知ることができる。
【００２０】
【実施例】
以下、本発明を図面に示す実施例によって詳細に説明する。
図１は本発明の一実施例の構成を示す平面図であり、特に、空気調和装置を遠隔制御するものを示している。同図において、リモコン装置１は縦長に形成され、長手方向で見た下半分をカバー２で覆うようになっている。また、中心部に近い上部に運転／停止スイッチ３が、最上部に液晶表示器４がそれぞれ設けられ、これらの中間に上げ釦５及び下げ釦６が設けられている。
【００２１】
カバー２は本体から取外し得る構成になっており、Ａ矢印方向に押し付けることによって装着され、Ｂ矢印方向に引くことによって本体を露呈させたり、本体から外したりすることができる。このカバー２を装着する部位には、図示省略のマイクロコンピュータの動作電力を供給する電池７と、運転切換スイッチ１１、入スイッチ１２、切スイッチ１３、予約／確認スイッチ１４、リセット釦１５及び時計釦１６を含む各種のスイッチとが設けられている。このうち、電池７は電圧が不足した時に交換され、スイッチ類は必要時に操作されるものであることから、操作時以外はカバー２で覆われる。なお、カバー２で覆われると否とに拘らず、スイッチ類は全て本発明にいう設定部を構成している。
【００２２】
図２は本実施例の液晶表示器４を構成する液晶表示画面の表示内容を示した図である。この液晶表示画面は上、中、下の三つの領域を有し、タイマに関連する情報が中央部に表示される。また、中央部は左右方向で見た中心部が数字表示領域４１となり、その左右が記号表示領域４２となっている。数字表示領域４１は７セグメントで数字を表示する部位が２箇所あり、その中間の下部に「点」を表示するようになっている。また、記号表示領域４２のうち、右側の領域には「時」「３０」「分」「Ｈ」「切」「入」「タイママーク」等を選択点滅させるようになっている。
【００２３】
以下、本実施例の概要を図３〜図４の表示画面例を参照して説明し、その後で詳細な構成及び動作について説明する。
【００２４】
先ず、電池７はカバー２を取外して装着し、タイマの設定時には図１に示したように、カバー２を途中まで引下げて、入スイッチ１２、切スイッチ１３、予約／確認スイッチ１４、リセット釦１５及び時計釦１６の押し操作を可能とする。
【００２５】
そして、電池７の装着時又はリセット釦１５のオン操作時には残時間タイマモードとなり、時計釦１６の操作による時計設定後には時刻タイマモードとなる。そこで、電池７の装着後に時計釦１６をオン操作したとすると、その１回目のオン操作時には、図３（ａ）に示したように、数字表示領域４１に数字「０」が表示されると共に、記号表示領域４２の「時」が点滅せしめられる。ここで、上げ釦５及び下げ釦６を操作することによって数字表示領域４１は最大「２３」までのいずれかに合わせられる。時計釦１６に対する２回目のオン操作時には、数字表示領域４１に数字「００」が表示されると共に、記号表示領域４２の「分」が点滅せしめられる。これに続いて上げ釦５及び下げ釦６を操作すれば、図３（ｂ）に示したように、数字表示領域４１に数字「４３」を表示させることができる。これによって現在時刻「０」時「４３」分が設定される。そして、時計釦１６に対する３回目に押し操作すると現在時刻の設定が完了し、液晶表示器４は図３（ｃ）に示したように設定温度表示に切換えられる。
【００２６】
次に、運転開始の時刻を設定するべく入スイッチ１２をオン操作すると、液晶表示器４の数字表示領域４１には「０」が表示され、記号表示領域４２中の「時」「３０」「分」「入」が点滅せしめられる。ここで、上げ釦５及び液晶表示器４をオン操作することによって例えば図４（ａ）に示したように、「２３」時「３０」分が表示され、続いて、予約／確認スイッチ１４を操作することによって運転開始時刻（入時刻）設定が終了する。なお、「２３」時ちょう度に設定したい場合には、上げ釦５又は下げ釦６の操作前に予約／確認スイッチ１４をオン操作すると、液晶表示器４の数字表示領域４１には「０」が表示され、記号表示領域４２中の「時」「入」が点滅せしめられる。そこで、上述したと同様にして時刻設定をする。
【００２７】
また、運転停止の時刻を設定する場合には切スイッチ１３をオン操作すると、記号表示領域４２の「入」が「切」に切換え点滅されるので、上述したと全く同様にして運転停止時刻（切時刻）を設定することができる。
【００２８】
そして、運転開始の時刻及び運転停止の時刻をそれぞれ設定した後で予約／確認スイッチ14をオン操作すると、その１回目のオン操作時には図４（ｂ）に示したように、入タイマ時刻が「タイママーク」と合わせて表示され、２回目のオン操作時には図４（ｃ）に示したように、切タイマ時刻が「タイママーク」と合わせて表示され、３回目のオン操作時には図４（ｄ）に示したように温度表示に変更されると共に、「タイママーク」と合わせて「切」「入」の両方が設定されていることの表示がなされる。
因みに、図４（ｄ）は標準設定温度よりも３℃高い温度に設定されていることを意味している。
なお、表示の順番は、時間的に早いものから行われる。
【００２９】
一方、電池７を装着した初期状態では残時間タイマモードとなり、さらに、リセット釦１５をオン操作した場合はそれ以前に時刻設定がされていても解除され残時間タイマモードとなる。この残時間タイマモードにて切スイッチ１３をオン操作すると、液晶表示器４の数字表示領域４１には「０」が表示され、記号表示領域４２中の「Ｈ」「切」が点滅せしめられる。ここで、上げ釦５及び液晶表示器４をオン操作することによって例えば数字表示領域４１には「０．５」が表示され、続いて、予約／確認スイッチ１４を操作することによって運転停止までの残時間設定が終了する。
【００３０】
また、運転開始までの残時間を設定する場合には入スイッチ１２をオン操作すると、記号表示領域４２中の「切」が「入」に切換点滅されるので、上述したと全く同様にして運転開始までの残時間、例えば、「５．５」が表示され、続いて、予約／確認スイッチ１４を操作することによって運転開始までの残時間設定が終了する。
【００３１】
このように、運転停止までの残時間及び運転開始までの残時間を設定した後で予約／確認スイッチ１４をオン操作すると、最初に図５（ａ）に示したように、現在時刻に近い切タイマ時間が表示され、一定の時間（例えば３秒）を経過すると図５（ｂ）に示したように入タイマ時間が表示され、最後に図５（ｃ）に示したように温度表示に変更されると共に、「タイママーク」によりタイマが設定されていることの表示がなされる。
【００３２】
因みに、図５（ｃ）は標準設定温度よりも１℃高い温度に設定されていることを意味している。
なお、表示の順番は、時間的に早いものから行われる。
次に、図６乃至図１４を用いて、本実施例の制御部の構成及び動作について詳細に説明する。
【００３３】
図６は制御部の構成を示すブロック図である。マイクロコンピュータ２０にはその動作電力を供給する電池７が接続されている。設定部の各種設定釦２１が入力マトリクス２２を介してマイクロコンピュータ２０の一つの入力ポートに接続されている。また、電池７が装着されたことにより電圧の立上がりを検出された場合と、リセット釦１５がオン操作された場合とでリセット信号を出力するリセット回路２３がマイクロコンピュータ２０のもう一つの入力ポートに接続されている。
【００３４】
一方、マイクロコンピュータ２０の一つの出力ポートに液晶表示器４が接続され、もう一つの出力ポートには赤外線の発光素子２５を有する送信回路２４が接続されている。
【００３５】
以下、タイマの設定の操作に伴う詳細な動作を、マイクロコンピュータ２０の処理手順を示すフローチャートを用いて説明する。図７はこれから説明するフローチャート（以下、単にフローともいう）の全体構成図であり、時刻設定フロー５０と、入時刻設定フロー６１及び入時間設定フロー６５でなる入タイマ設定フロー６０と、切時刻設定フロー７１及び切時間設定フロー７５でなる切タイマ設定フロー７０と、タイマ動作フロー８０と、確認表示フロー９０とで構成されている。
【００３６】
図８は時刻設定フローを示している。ここでは、電池７が装着された場合や、リセット釦１５がオン操作された場合に入力されるリセット回路２３（図６）の信号、すなわち、リセット入力の有無が判定され（ステップ５０１  ）、リセット入力がある場合には時刻値及びタイマ設定値の両方をクリアさせた後、７セグメントの２個の数字を用いて設定温度の表示が行われる（ステップ５０２，５０３  ）。リセット入力がない場合には時刻設定がされているか否を判定し（ステップ５０４  ）、予め時刻設定されておれば改めて設定する必要が無いので設定温度表示に移る。
【００３７】
一方、時刻設定されていない場合には時計釦１６がオン操作された時に初期時刻（時）を液晶表示器４に点滅表示させる（ステップ５０５，５０６  ）。この状態で上げ釦５がオン操作されると表示値を増大させ（ステップ５０７，５０８  ）、下げ釦６がオン操作されると表示値を減少させる（ステップ５１５，５１６  ）。
【００３８】
続いて、時計釦１６がオン操作されると今度は初期時刻（分）を液晶表示器４に点滅表示させる（ステップ５０９，５１０  ）。この状態で上げ釦５がオン操作されると表示値を増大させ（ステップ５１１，５１２  ）、下げ釦６がオン操作されると表示値を減少させる（ステップ５１７，５１８  ）。
そして、もう一度、時計釦１６がオン操作された時に前述の設定温度表示に移る。
【００３９】
図９は入時刻設定フローを示している。ここでは、入スイッチ１２がオン操作され、かつ、時刻設定がなされていることを条件にしてタイマが動作中か否かを判定する（ステップ６１１  〜６１３  ）。そして、タイマが動作中であればその値を液晶表示器４に点滅表示させる（ステップ６１４  ）。この点滅表示後に上げ釦５がオン操作されたとすれば３０分単位で設定時刻を加算して点滅表示し（ステップ６１５  〜６１６  ）、下げ釦６がオン操作されたとすれば３０分単位で設定時刻を減算して点滅表示し（ステップ６１７  〜６１８  ）、その後、予約／確認スイッチ１４がオン操作されたことを条件にしてタイマのカウントを開始し、続いて、設定温度表示と合わせて入タイマ設定中であることをタイママークで表示する（ステップ６１９  〜６２１  ）。一方、タイマの動作中でないと判定した場合には、現時刻が３０分を超えているか否かを判定し、超えている時には数字の他に「時」「３０」「分」を点滅させ、超えていない時には数字の他に「時」のみを点滅させる処理を実行し（ステップ６２２  〜６２４  ）、続いて、上げ釦５又は下げ釦６による時刻設定に移る。
【００４０】
図１０は入時間の設定フローを示している。ここでは、入タイマが動作中であるか否かを判定し（ステップ６５１  ）、動作中であればその時間を点滅表示させ、動作中でなければ初期時間と合わせて「Ｈ」の記号を点滅表示させる（ステップ６５２，６５３  ）。この点滅表示後に上げ釦５がオン操作されたとすれば０．５Ｈ単位で設定時間を加算して点滅表示し（ステップ６５４  〜６５５  ）、下げ釦６がオン操作されたとすれば０．５Ｈ単位で設定時間を減算して点滅表示し（ステップ６５６  〜６５７  ）、その後、予約／確認スイッチ１４がオン操作されたことを条件にして次の処理に進む（ステップ６５８  ）
図１１は切時刻設定フローを示している。ここでは、切スイッチ１２がオン操作され、かつ、時刻設定がなされていることを条件にしてタイマの動作中か否かを判定する（ステップ７１１  〜７１３  ）。そして、タイマの動作中であればその値を液晶表示器４に点滅表示させる（ステップ７１４  ）。この点滅表示後に上げ釦５がオン操作されたとすれば３０分単位で設定時刻を加算して点滅表示し（ステップ７１５  〜７１６  ）、下げ釦６がオン操作されたとすれば３０分単位で設定時刻を減算して点滅表示し（ステップ７１７  〜７１８  ）、その後、予約／確認スイッチ１４がオン操作されたことを条件にしてタイマのカウントを開始し、続いて、設定温度表示と合わせて切タイマ設定中であることをタイママークで表示する（ステップ７１９  〜７２１  ）。一方、タイマの動作中でないと判定した場合には、現時刻が３０分を超えているか否かを判定し、超えている時には数字の他に「時」「３０」「分」を点滅させ、超えていない時には数字の他に「時」のみを点滅させる処理を実行し（ステップ７２２  〜７２４  ）、続いて、上げ釦５又は下げ釦６による時刻設定に移る。
【００４１】
図１２は切時間の設定フローを示している。ここでは、切タイマが動作中であるか否かを判定し（ステップ７５１  ）、動作中であればその時間を点滅表示させ、動作中でなければ初期時間と合わせて「Ｈ」の記号を点滅表示させる（ステップ７５２，７５３  ）。この点滅表示後に上げ釦５がオン操作されたとすれば０．５Ｈ単位で設定時間を加算して点滅表示し（ステップ７５４  〜７５５  ）、下げ釦６がオン操作されたとすれば０．５Ｈ単位で設定時間を減算して点滅表示し（ステップ７５６  〜７５７  ）、その後、予約／確認スイッチ１４がオン操作されたことを条件にして次の処理に進む（７５８  ）。
【００４２】
図１３はタイマ動作フローである。ここでは、最初に入タイマが設定中か否かを判定し（ステップ８０１  ）、設定中であれば入タイマの設定時間に対する時間のカウントを終了したか否を判定し（ステップ８０２  ）、終了した段階で「入」の記号を消灯させる共に、本体装置へ動作開始指令を送信する（ステップ８０３  ）。
【００４３】
一方、入タイマが設定中でなかったとすれば、切タイマが設定中か否かを判定し（ステップ８０４  ）、設定中であれば切タイマの設定時間に対する時間のカウントが終了したか否を判定し（ステップ８０５  ）、終了した段階で「切」の記号を消灯させる共に、本体装置へ動作停止指令を送信する（ステップ８０６  ）。その後、入、切タイマの両方に対するカウントが終了したことを確認して、「タイママーク」を消灯させると共に、カウンタをリセット状態にする（ステップ８０７  〜８０８  ）。
【００４４】
図１４はタイマ設定された状態を確認するフローである。この場合、予約／確認スイッチ１４がオン操作されたか否かを判定し（ステップ９０１  ）、そのオン操作を条件にして切タイマが設定されているか否か、入タイマが設定されているか否かを判定する（ステップ９０２，９０３  ）。若し、切タイマが設定され、また、入タイマも設定されていた場合には、そのタイマが時刻設定か否かを判定する  （ステップ９０４）。時刻設定である場合には現在時刻に近い一方の設定時刻を表示し、続いて、現在時刻に遠い他方の設定時刻を表示し（ステップ９０５，９０６  ）、その後に、７セグメントを用いた２個の数字によって設定温度を表示する（ステップ９０７  ）。
【００４５】
一方、切タイマだけが設定され、入タイマが設定されていなかったとすれば、この切タイマの時刻または時間を表示し（ステップ９１０  ）、続いて、設定温度表示に移る。
また、切タイマが設定されていなかった場合には、さらに、入タイマが設定されているか否かを判定し（ステップ９１１  ）、入タイマが設定されておれば、この入タイマの時刻または時間を表示し（ステップ９１２  ）、続いて、設定温度表示に移る。入タイマも設定されていなかったとすれば、時計釦１６による時刻設定操作がされたか否かを判定し、時刻設定操作がされていた時には、最初に一定時間だけ現在の時間値を数字で表示すると共に、記号「時」を点滅させ（ステップ９１４  ）、続いて、一定時間だけ現在の分値を数字で表示すると共に、記号「分」を点滅させた後、設定温度表示に移る。
【００４６】
以上、図６乃至図１４に示したフローチャートに従ってマイクロコンピュータ２０の処理を説明したが、これらの処理によって、図３乃至５の表示画面例を用いて説明した動作を実現することができる。
【００４７】
かくして、この実施例によれば、残時間タイマ機能及び時刻タイマ機能の両方を備え、設定内容のリセット時及び電池の装着時に残時間タイマとして動作するので、不慣れなユーザに対して操作の容易さを確保することができ、時計設定操作をした時に時刻タイマとして動作するのでその機能を好むユーザにも対応できるという効果が得られる。
【００４８】
なお、上記実施例では、空気調和装置に用いるものについて説明したが、本発明はこれに適用を限定されるものではなく、ラジオ、テレビ、ビデオテープレコーダ等、遠隔操作を取入れた他の装置に用いるものにも適用することができる。
【００４９】
なおまた、上記実施例では、液晶表示器を使用したことにより、これに表示させる数字または記号を点滅表示させたが、点滅表示の代わりに点灯させるように構成することもできる。
【００５０】
また、上記実施例では切時刻の設定に際して３０分を単位として設定したが、１分単位で設定するようにしても、５分あるいは１０分単位で設定するようにしてもよい。
【００５１】
さらにまた、上記実施例では、予約／確認スイッチ１４をオン操作すると設定内容が順次表示され、最後に元の表示に戻るように構成したが、予約／確認スイッチ１４をオン操作する毎に表示内容を変えるように構成してもよい。
【００５２】
【発明の効果】
以上の説明から明らかなように、請求項１に記載のリモコン装置によれば、不慣れなユーザに対して操作の容易さを確保することができ、また、時刻タイマを好むユーザにも対応できる。
【００５３】
請求項２に記載のリモコン装置によれば、表示部を見ながらタイマ設定するので、設定操作が容易である。
【００５４】
請求項３に記載のリモコン装置によれば、３０分単位にて表示変更するので、操作回数が少なくて済む。
【００５５】
請求項４に記載のリモコン装置によれば、表示部は数字を「時」と「分」で切換えて使用するので、面積の少ない表示領域を有効に利用して、画面を見易くすることができる。
【００５６】
請求項５に記載のリモコン装置によれば、上げ指令及び下げ指令により、表示情報を容易に変更することができる。
【００５７】
請求項６に記載のリモコン装置によれば、「タイママーク」と合わせて「入」及び「切」の記号を表示するで、ユーザが認識し易くなる。
【００５８】
請求項７に記載のリモコン装置によれば、予約／確認釦の操作に応じて現在時刻に近い順に設定値が表示されるので、１回の操作によって設定内容の全てを知ることができる。
【図面の簡単な説明】
【図１】本発明の一実施例の表示部及び設定部の構成を示す平面図。
【図２】本発明の一実施例の表示部の表示内容の詳細を示す表示画面例。
【図３】本発明の一実施例の概略動作を説明するための表示画面例。
【図４】本発明の一実施例の概略動作を説明するための表示画面例。
【図５】本発明の一実施例の概略動作を説明するための表示画面例。
【図６】本発明の一実施例の制御部の構成を示すブロック図。
【図７】本発明の一実施例の制御部の動作を説明するフローチャートの全体構成図。
【図８】本発明の一実施例を構成するマイクロコンピュータの処理手順を示すフローチャート。
【図９】本発明の一実施例を構成するマイクロコンピュータの処理手順を示すフローチャート。
【図１０】本発明の一実施例を構成するマイクロコンピュータの処理手順を示すフローチャート。
【図１１】本発明の一実施例を構成するマイクロコンピュータの処理手順を示すフローチャート。
【図１２】本発明の一実施例を構成するマイクロコンピュータの処理手順を示すフローチャート。
【図１３】本発明の一実施例を構成するマイクロコンピュータの処理手順を示すフローチャート。
【図１４】本発明の一実施例を構成するマイクロコンピュータの処理手順を示すフローチャート。
【符号の説明】
４  液晶表示器
５  上げ釦
６  下げ釦
１２  入スイッチ
１３  切スイッチ
１４  予約／確認スイッチ
１５  リセット釦
１６  時計釦
２０  マイクロコンピュータ
２３  リセット回路
２４  送信回路
【図１】
0003543835.tif 000002
【図２】
0003543835.tif 000003
【図３】
0003543835.tif 000004
【図４】
0003543835.tif 000005
【図５】
0003543835.tif 000006
【図６】
0003543835.tif 000007
【図７】
0003543835.tif 000008
【図８】
0003543835.tif 000009
【図９】
0003543835.tif 000010
【図１０】
0003543835.tif 000011
【図１１】
0003543835.tif 000012
【図１２】
0003543835.tif 000013
【図１３】
0003543835.tif 000014
【図１４】
0003543835.tif 000015